(57)【特許請求の範囲】
【請求項１】
記録媒体を搬送する搬送部と、
記録媒体にインクを吐出するインクジェットヘッドと、
前記搬送部及び前記インクジェットヘッドを収納する第１筐体と、
前記インクジェットヘッドに供給するインクが貯留されたインク貯留部と、
前記第１筐体から排出された記録媒体を保持する媒体保持部とを備えており、
前記媒体保持部は、前記第１筐体を水平面に鉛直方向から投影してできた第１領域と、前記媒体保持部を前記水平面に鉛直方向から投影してできた第２領域とが重なるように配置され、
前記インク貯留部は、前記第１領域と、前記インク貯留部を前記水平面に鉛直方向から投影してできた第３領域とが重なるように配置され、かつ、前記媒体保持部を鉛直面に水平方向から投影してできた第４領域と、前記インク貯留部を前記鉛直面に水平方向から投影してできた第５領域とが重なるように配置され、かつ、記録媒体の前記第１筐体からの排出方向に関して、前記媒体保持部よりも下流に配置されており、
前記インク貯留部の上端は、記録媒体の前記第１筐体からの排出位置よりも高いことを特徴とするインクジェット記録装置。
【請求項２】
水平面内において前記排出方向と直交する方向に関して、前記インク貯留部の長さが記録媒体の長さ以上であることを特徴とする請求項１に記載のインクジェット記録装置。
【請求項３】
前記インク貯留部が、前記第１筐体から前記水平方向に出っ張らないことを特徴とする請求項１又は２に記載のインクジェット記録装置。
【請求項４】
前記第１筐体内には、前記搬送部に送り出す記録媒体を収納する媒体収納部が設けられており、前記インクジェットヘッドと、前記搬送部と、前記媒体収納部とが上からこの順に配置されていることを特徴とする請求項１〜３のいずれか１項に記載のインクジェット記録装置。
【請求項５】
前記搬送部に送り出す記録媒体を収納する媒体収納部が前記第１筐体に装着可能に設けられており、
前記インク貯留部は、第２筐体と、この第２筐体に装着可能でインクが貯留されたインクカートリッジを有し、
前記媒体収納部の前記第１筐体への装着方向と、前記インクカートリッジの前記第２筐体への装着方向とが同じ方向であることを特徴とする請求項１〜４のいずれか１項に記載のインクジェット記録装置。
【請求項６】
記録媒体に形成された画像を読み取る読取部が、前記媒体保持部と前記インク貯留部との上に配置されていることを特徴とする請求項１〜５のいずれか１項に記載のインクジェット記録装置。
【請求項７】
記録媒体を搬送する搬送部と、
記録媒体にインクを吐出するインクジェットヘッドと、
前記搬送部及び前記インクジェットヘッドを収納する第１筐体と、
第２筐体と、この第２筐体に装着可能で前記インクジェットヘッドに供給するインクが貯留されたインクカートリッジとを有するインク貯留部と、
前記第１筐体から排出された記録媒体を保持する媒体保持部と、
前記第１筐体に装着可能に設けられ、前記搬送部に送り出す記録媒体を収納する媒体収納部とを備えており、
前記媒体保持部は、前記第１筐体を水平面に鉛直方向から投影してできた第１領域と、前記媒体保持部を前記水平面に鉛直方向から投影してできた第２領域とが重なるように配置され、
前記インク貯留部は、前記第１領域と、前記インク貯留部を前記水平面に鉛直方向から投影してできた第３領域とが重なるように配置され、かつ、前記媒体保持部を鉛直面に水平方向から投影してできた第４領域と、前記インク貯留部を前記鉛直面に水平方向から投影してできた第５領域とが重なるように配置されており、
前記媒体収納部の前記第１筐体への装着方向と、前記インクカートリッジの前記第２筐体への装着方向とが同じ方向であることを特徴とするインクジェット記録装置。
【請求項８】
前記インク貯留部が、記録媒体の前記第１筐体からの排出方向に関して、前記媒体保持部よりも下流に配置されていることを特徴とする請求項７に記載のインクジェット記録装置。
【請求項９】
水平面内において前記排出方向と直交する方向に関して、前記インク貯留部の長さが記録媒体の長さ以上であることを特徴とする請求項８に記載のインクジェット記録装置。
【請求項１０】
前記インク貯留部が、前記第１筐体から前記水平方向に出っ張らないことを特徴とする請求項７〜９のいずれか１項に記載のインクジェット記録装置。
【請求項１１】
前記第１筐体内には、前記インクジェットヘッドと、前記搬送部と、前記媒体収納部とが上からこの順に配置されていることを特徴とする請求項７〜１０のいずれか１項に記載のインクジェット記録装置。
【請求項１２】
記録媒体に形成された画像を読み取る読取部が、前記媒体保持部と前記インク貯留部との上に配置されていることを特徴とする請求項７〜１１のいずれか１項に記載のインクジェット記録装置。
【発明の詳細な説明】
【技術分野】
【０００１】
本発明は、記録媒体に画像を印刷するインクジェット記録装置に関する。
【背景技術】
【０００２】
特許文献１には、給紙カセット又は手差しトレイから送り出された記録紙を搬送するベルト搬送部と、ベルト搬送部によって搬送されている記録紙に画像を形成する記録ヘッドと、記録ヘッドの上方に設けられ、画像が形成された記録紙が排出される排紙トレイとを有するインクジェット記録装置について記載されている。
【０００３】
特許文献２には、給紙カセット又は手差し給紙機構によって送り出された記録紙を搬送する記録媒体搬送機構と、記録媒体搬送機構によって搬送されている記録紙に画像を形成する記録ヘッドと、記録媒体搬送機構と給紙カセットとの間に設けられたスペースに配置されたインクタンクとを有するインクジェット記録装置について記載されている。
【０００４】
【特許文献１】特開２００６−１６８０９３号公報
【特許文献２】特開２００１−１６２８３８号公報
【発明の開示】
【発明が解決しようとする課題】
【０００５】
上記特許文献１には、記録ヘッドに供給するインクが貯溜されたインクタンクが、インクジェット記録装置のどこに配置されているのか記載されていないが、例えば、装置の左右にインクタンクを配置する箇所が設けられている場合では、装置の水平方向に関する大きさが大型化する。
【０００６】
水平方向に関して、インクジェット記録装置を大型化させないために、特許文献２に記載の技術を特許文献１に記載のインクジェット記録装置に採用して、インクタンクを設置するスペースをベルト搬送部と給紙カセットとの間に設けると、装置本体（筐体）の高さが高くなる。すなわち、鉛直方向に関して、インクジェット記録装置が大型化する。
【０００７】
そこで、本発明の目的は、小型化することが可能なインクジェット記録装置を提供することである。
【課題を解決するための手段】
【０００８】
本発明のインクジェット記録装置は、記録媒体を搬送する搬送部と、記録媒体にインクを吐出するインクジェットヘッドと、前記搬送部及び前記インクジェットヘッドを収納する第１筐体と、前記インクジェットヘッドに供給するインクが貯留されたインク貯留部と、前記第１筐体から排出された記録媒体を保持する媒体保持部とを備えている。そして、前記媒体保持部は、前記第１筐体を水平面に鉛直方向から投影してできた第１領域と、前記媒体保持部を前記水平面に鉛直方向から投影してできた第２領域とが重なるように配置され、前記インク貯留部は、前記第１領域と、前記インク貯留部を前記水平面に鉛直方向から投影してできた第３領域とが重なるように配置され、かつ、前記媒体保持部を鉛直面に水平方向から投影してできた第４領域と、前記インク貯留部を前記鉛直面に水平方向から投影してできた第５領域とが重なるように配置され、かつ、記録媒体の前記第１筐体からの排出方向に関して、前記媒体保持部よりも下流に配置されており、前記インク貯留部の上端は、記録媒体の前記第１筐体からの排出位置よりも高い。
【０００９】
これによると、媒体保持部の水平方向に存在するデッドスペースにインク貯留部が配置されるので、インクジェット記録装置を小型化することが可能になる。また、インク貯留部によって、記録媒体を受け止めることができる。また、記録媒体が第１筐体から媒体保持部に勢いよく飛び出してきても、記録媒体が媒体保持部から飛び出しにくくなる。
【００１１】
また、このとき、水平面内において前記排出方向と直交する方向に関して、前記インク貯留部の長さが記録媒体の長さ以上であってもよい。これにより、記録媒体が第１筐体から媒体保持部に勢いよく飛び出してきても、記録媒体が媒体保持部から飛び出しにくくなる。
【００１２】
また、本発明において、前記インク貯留部が、前記第１筐体から前記水平方向に出っ張らないことが好ましい。これにより、インクジェット記録装置をさらに小型化することが可能になる。
【００１３】
また、本発明において、前記第１筐体内には、前記搬送部に送り出す記録媒体を収納する媒体収納部が設けられており、前記インクジェットヘッドと、前記搬送部と、前記媒体収納部とが上からこの順に配置されていることが好ましい。
【００１４】
また、本発明において、前記搬送部に送り出す記録媒体を収納する媒体収納部が前記第１筐体に装着可能に設けられており、前記インク貯留部は、第２筐体と、この第２筐体に装着可能でインクが貯留されたインクカートリッジを有し、前記媒体収納部の前記第１筐体への装着方向と、前記インクカートリッジの前記第２筐体への装着方向とが同じ方向であることが好ましい。これにより、媒体収納部とインクカートリッジの装着方向が同じになるため、第１筐体及び第２筐体の同じ側の面がアクセス面となる。そのため、装置の設置の自由度が向上する。
【００１５】
また、本発明において、記録媒体に形成された画像を読み取る読取部が、前記媒体保持部と前記インク貯留部との上に配置されていることが好ましい。
また、本発明のインクジェット記録装置は、別の観点では、記録媒体を搬送する搬送部と、記録媒体にインクを吐出するインクジェットヘッドと、前記搬送部及び前記インクジェットヘッドを収納する第１筐体と、第２筐体と、この第２筐体に装着可能で前記インクジェットヘッドに供給するインクが貯留されたインクカートリッジとを有するインク貯留部と、前記第１筐体から排出された記録媒体を保持する媒体保持部と、前記第１筐体に装着可能に設けられ、前記搬送部に送り出す記録媒体を収納する媒体収納部とを備えている。そして、前記媒体保持部は、前記第１筐体を水平面に鉛直方向から投影してできた第１領域と、前記媒体保持部を前記水平面に鉛直方向から投影してできた第２領域とが重なるように配置され、前記インク貯留部は、前記第１領域と、前記インク貯留部を前記水平面に鉛直方向から投影してできた第３領域とが重なるように配置され、かつ、前記媒体保持部を鉛直面に水平方向から投影してできた第４領域と、前記インク貯留部を前記鉛直面に水平方向から投影してできた第５領域とが重なるように配置されており、前記媒体収納部の前記第１筐体への装着方向と、前記インクカートリッジの前記第２筐体への装着方向とが同じ方向である。
これによると、媒体保持部の水平方向に存在するデッドスペースにインク貯留部が配置されるので、インクジェット記録装置を小型化することが可能になる。また、媒体収納部とインクカートリッジの装着方向が同じになるため、第１筐体及び第２筐体の同じ側の面がアクセス面となる。そのため、装置の設置の自由度が向上する。
また、本発明において、前記インク貯留部が、記録媒体の前記第１筐体からの排出方向に関して、前記媒体保持部よりも下流に配置されていることが好ましい。これにより、インク貯留部によって、記録媒体を受け止めることができる。
また、このとき、水平面内において前記排出方向と直交する方向に関して、前記インク貯留部の長さが記録媒体の長さ以上であってもよい。これにより、記録媒体が第１筐体から媒体保持部に勢いよく飛び出してきても、記録媒体が媒体保持部から飛び出しにくくなる。
また、本発明において、前記インク貯留部が、前記第１筐体から前記水平方向に出っ張らないことが好ましい。これにより、インクジェット記録装置をさらに小型化することが可能になる。
また、本発明において、前記第１筐体内には、前記インクジェットヘッドと、前記搬送部と、前記媒体収納部とが上からこの順に配置されていることが好ましい。
また、本発明において、記録媒体に形成された画像を読み取る読取部が、前記媒体保持部と前記インク貯留部との上に配置されていることが好ましい。
【発明を実施するための最良の形態】
【００１６】
以下、本発明の好適な実施の形態について、図面を参照しつつ説明する。
【００１７】
図１は、本発明の一実施形態によるインクジェットプリンタの斜視図である。図２は、本発明の一実施形態によるインクジェットプリンタの部分断面図である。図１及び図２に示すように、インクジェットプリンタ１は、内部に空間を有する略直方体形状の筐体（第１筐体）１０を有している。筐体１０には、後述の給紙トレイ３１が挿入される開口１１と、筐体１０から排紙部４０に排出される用紙Ｐが通る開口１２とが形成されている。
【００１８】
筐体１０内には、図２に示すように、４つのインクジェットヘッド２が設けられている。インクジェットヘッド２は、用紙Ｐの搬送方向Ａ（図２中矢印Ａ方向）に沿って並べられ、枠状のフレーム３を介して筐体１０に支持されている。各インクジェットヘッド２は、図２中紙面垂直方向に沿って細長い略直方体形状を有している。
【００１９】
プリンタ１には、用紙Ｐの搬送経路に沿って、給紙ユニット３０、給紙ユニット３０の上方に配置された搬送機構（搬送部）２１、搬送機構２１からの用紙Ｐを搬送する排出機構９０、及び、排出機構９０によって筐体１０から排出された用紙Ｐを保持する排紙部（媒体保持部）４０が順に設けられている。給紙ユニット３０、搬送機構２１及び排出機構９０は筐体１０内に配置され、排紙部４０はインクジェットヘッド２の上方であって筐体１０の外側に設けられている。
【００２０】
給紙ユニット３０は、複数枚の用紙Ｐを収納することが可能な給紙トレイ（媒体収納部）３１と、給紙ローラ３２とを有している。給紙ローラ３２は、給紙トレイ３１に積層して収納された複数の用紙Ｐのうち、最も上方にある用紙Ｐを搬送機構２１へ１枚ずつ送り出す。また、給紙トレイ３１は、図１に示すように、筐体１０の奥行き方向（図２中紙面垂直方向であって搬送方向Ａと直交する方向）にスライド可能に構成されている。なお、給紙トレイ３１内の用紙Ｐがなくなった場合は、給紙トレイ３１を筐体１０から奥行き方向と平行な引き抜き方向にスライドさせ、給紙トレイ３１を筐体１０の外に配置させる。そして、給紙トレイ３１内に複数の用紙Ｐを収納し、給紙トレイ３１を引き抜き方向とは逆方向の装着方向にスライドさせて給紙トレイ３１を筐体１０に装着させる。
【００２１】
給紙ユニット３０と搬送機構２１との間には、用紙Ｐの搬送経路に沿って、２組の送りローラ対３３ａ，３３ｂ，３４ａ，３４ｂが配置されている。給紙ユニット３０から送り出された用紙Ｐは、送りローラ対３３ａ，３３ｂ，３４ａ，３４ｂによって案内されながら、搬送機構２１へと送り出される。
【００２２】
搬送機構２１は、エンドレスの搬送ベルト８と、２つのベルトローラ６，７とを有している。搬送ベルト８は、ベルトローラ６，７に巻き掛けられている。ベルトローラ７には、図示しない搬送モータが接続されており、この搬送モータからの回転力によってベルトローラ７が図２中矢印Ｂ方向に回転する。このとき、搬送ベルト８が用紙Ｐを搬送方向Ａに搬送するように走行し、従動ローラであるベルトローラ６も回転する。搬送ベルト８の外周面８ａは、シリコーン処理が施されており、粘着性を有している。
【００２３】
搬送ベルト８によって囲まれた領域内には、搬送ベルト８のインクジェットヘッド２と対向する部分を内周面側から支持する略直方体形状のプラテン１９が配置されている。
【００２４】
ベルトローラ６の上方には、ベルトローラ６との間によって搬送ベルト８を挟むニップローラ４が配置されている。ニップローラ４は、図示しないバネによって下方に付勢されており、外周面８ａと当接している。ニップローラ４は回転可能に設置されており、搬送ベルト８の走行に伴って回転する。
【００２５】
この構成において、給紙ユニット３０から搬送機構２１へと送り出された用紙Ｐは、ニップローラ４と外周面８ａとの間に挟まれ、外周面８ａに粘着保持される。そして、搬送ベルト８の走行に伴って、インクジェットヘッド２と対向する領域に用紙Ｐが搬送される。
【００２６】
４つのインクジェットヘッド２は、用紙Ｐの搬送方向Ａに沿って互いに近接して配置されており、搬送機構２１の上方に配置さている。４つのインクジェットヘッド２は、インクを吐出する複数のノズル（不図示）が形成された吐出面２ａをそれぞれ有している。４つのインクジェットヘッド２は、互いに異なる４色（マゼンタ、イエロー、シアン、ブラック）のインクを吐出し、吐出面２ａと搬送ベルト８の外周面８ａとの間にわずかな間隙をあけて配置されている。
【００２７】
搬送ベルト８によって搬送された用紙Ｐは、インクジェットヘッド２と搬送ベルト８との間隙を通過する。その際に、吐出面２ａに形成された複数のノズルから用紙Ｐの上面である印刷面に向けてインクが吐出され、用紙Ｐに所望の画像が形成される。
【００２８】
ベルトローラ７の上方には、拍車ローラ５が配置されている。搬送機構２１によって搬送されてきた用紙Ｐは、拍車ローラ５と搬送ベルト８との間に挟持されることによって、さらに搬送力が付与され、搬送機構２１から排出される。
【００２９】
搬送機構２１によって搬送方向Ａに搬送されてきた用紙Ｐは、図示しない剥離部材によって外周面８ａから剥離された後、排出機構９０に搬送される。排出機構９０は、搬送機構２１と排紙部４０との間に設けられており、搬送機構２１と排紙部４０とを結ぶように湾曲した一対のガイド９１ａ，９１ｂと、一対のガイド９１ａ，９１ｂの途中部位及び排紙部４０側の端部に配置された２組の送りローラ対９２ａ，９２ｂ，９３ａ，９３ｂとを有している。そして、一対のガイド９１ａ，９１ｂ間に搬送されてきた用紙Ｐが、２組の送りローラ対９２ａ，９２ｂ，９３ａ，９３ｂによって、上方に搬送された後に搬送方向Ａとは反対方向の排出方向Ｃに搬送され、開口１２を通して排紙部４０に排出される。このように、排出機構９０は、搬送機構２１から搬送されてきた用紙Ｐを排紙部４０にＵターン排紙する。
【００３０】
排紙部４０は、図２に示すように、筐体１０のインクジェットヘッド２の上方にある部分の上面４１と、筐体１０の開口１２が形成された側面４２の開口１２よりも下方部分とによって構成されている。上面４１は、側面４２の下端から左方に延在しやや上方に傾いて形成されている。そして、開口１２から排出された１又は複数枚の用紙Ｐが、上面４１と側面４２の下方部分とによって保持される。なお、開口１２は、図２中紙面垂直方向に関して、筐体１０の長さよりも短く且つ用紙Ｐの搬送方向Ａと直交する方向の長さよりも長く形成されている。
【００３１】
プリンタ１には、図２に示すように、インクジェットヘッド２に供給するインクが貯留されたインク貯留部６０が設けられている。インク貯留部６０は、筐体１０に連結された直方体形状の筐体（第２筐体）５０と、筐体５０内に装着可能な４つのインクカートリッジ６１とを有している。なお、筐体１０と筐体５０とは一体的に形成されていてもよい。
【００３２】
筐体５０は、開口１２から排出される用紙Ｐの排出方向Ｃに関して排紙部４０よりも下流であって、排紙部４０と排出方向Ｃに沿って重なる位置に配置されている。これにより、筐体５０の側面５１が開口１２と対向する位置に配置される。このため、開口１２から排出された用紙Ｐを側面５１によって受け止めることが可能となる。
【００３３】
４つのインクカートリッジ６１は、略直方体形状を有しており、内部にインクジェットヘッド２に供給するインクが貯留されている。なお、インクカートリッジ６１には、内部のインクを排出する図示しないインク排出部が形成されており、筐体５０には、インクカートリッジ６１が筐体５０に装着されたときにインク排出部と接続される接続部が形成されている。この接続部は、図示しない流路部材によってインクジェットヘッド２と流通可能に接続されており、インクカートリッジ６１内のインクをインクジェットヘッド２に供給する。
【００３４】
筐体５０は、図１に示すように、筐体１０の開口１１が形成された側面１０ａと同じ面側にある側面５２に、インクカートリッジ６１を挿入可能な４つの開口５３が形成されている。この構成において、インクカートリッジ６１内のインクがなくなった場合は、給紙トレイ３１の引き抜き方向と同方向にインクカートリッジ６１をスライドさせ、インクカートリッジ６１を筐体５０から取り外す。そして、インクが充填されたインクカートリッジ６１又は新たなインクカートリッジ６１を給紙トレイ３１の装着方向と同方向にスライドさせてインクカートリッジ６１を筐体５０に装着させる。このように、側面１０ａと同じ面側の側面５２に４つの開口５３が形成されていることで、インクカートリッジ６１と給紙トレイ３１の装着動作を行うアクセス面が同じ側の側面１０ａ，５２となる。これにより、筐体１０の側面１０ａと対向する側面が壁に隣接且つ対向するように、インクジェットプリンタ１を設置することが可能になって、インクジェットプリンタ１の設置の自由度が向上する。
【００３５】
図３は、図１に示す筐体１０、排紙部４０及びインク貯留部６０を水平面に鉛直方向から投影した投影図である。図４は、図１に示す筐体１０、排紙部４０及びインク貯留部６０を鉛直面に用紙Ｐの搬送方向Ａと同じ方向から投影した投影図である。図３には、筐体１０が投影されてできた領域（第１領域）７１と、排紙部４０が投影されてできた領域（第２領域）７２と、インク貯留部６０が投影されてできた領域（第３領域）７３とが示されている。図３に示すように、領域７２は、その全体が領域７１と重なっており、且つ領域７１の中央と重なっている。領域７３は、その全体が領域７１と重なっており、且つ領域７１の中央よりも左側部分と重なっている。このように、排紙部４０及びインク貯留部６０は、筐体１０と鉛直方向に重なっている。
【００３６】
また、インク貯留部６０の筐体５０は、図２中紙面垂直方向（排出方向Ｃと直交する方向）に関して、その長さが筐体１０の長さとほぼ同じである（図３参照）。すなわち、筐体５０は、図２中紙面垂直方向に関して、その長さが用紙Ｐよりも長い。これにより、用紙Ｐが開口１２から排紙部４０に勢いよく飛び出してきても、用紙Ｐが排紙部４０から飛び出しにくくなる。また、インク貯留部６０は、排出方向Ｃに関して、筐体１０の長さよりも短く、且つ図２中最も左側に位置する側面５４が筐体１０の図２中最も左側に位置する側面１０ｂと同じ位置に配置されている。このようにインク貯留部６０は、水平方向に関して、筐体１０から出っ張っていない。これにより、インクジェットプリンタをさらに小型化することが可能となる。
【００３７】
図４には、筐体１０が投影されてできた領域７４と、排紙部４０が投影されてできた領域（第４領域）７５と、インク貯留部６０が投影されてできた領域（第５領域）７６とが示されている。なお、領域７５及び領域７６には、それぞれハッチングを示している。これらハッチングは、互いに交差する方向に延在している。図４に示すように、領域７５及び領域７６は、共にその全体が領域７４と重なっており、且つ中央よりも上側部分と重なっている。また、領域７５及び領域７６は互いに重なっており、ちょうど互いのハッチングが交差して示された部分が領域７５及び領域７６が重なった部分である。このように、排紙部４０及びインク貯留部６０は、搬送方向Ａに平行な水平方向に関して、互いに重なっている。
【００３８】
また、インク貯留部６０の筐体５０は、図２に示すように、鉛直方向に関して、その上端が開口１２の位置、すなわち、用紙Ｐの筐体１０からの排出位置よりも高くなっている。これにより、用紙Ｐが開口１２から排紙部４０に勢いよく飛び出してきても、用紙Ｐが排紙部４０から飛び出しにくくなる。
【００３９】
プリンタ１には、インク貯留部６０と排紙部４０との上方であって、筐体１０及び筐体５０を繋ぐように配置されたスキャナ（読取部）８０が設けられている。スキャナ８０は、ガラス板からなる平坦な読取面８１と、読取面８１上に載置された用紙Ｐの画像を読み取る読取ユニット８２と、読取面８１を覆うカバー８３とを有している。そして、スキャナ８０は、読取面８１に画像が形成された用紙が載置された後にカバー８３が閉じられた状態で、読取ユニット８２により当該用紙の画像が読み取られる。
【００４０】
以上のように、本実施形態によるインクジェットプリンタ１によると、排紙部４０の排出方向Ｃ（水平方向）に存在するデッドスペースにインク貯留部６０が配置されているので、インクジェットプリンタ１を小型化することが可能になる。具体的には、図２に示すように、インク貯留部６０が、筐体１０と上下に重なり、且つ、筐体１０と上下に重なる排紙部４０と左右に重なる位置（すなわち、デッドスペースとなる位置）に配置されていることで、上下及び左右方向に関して、プリンタ１を小型化することができる。つまり、本実施形態におけるプリンタ１は、筐体１０の側方にインク貯留部６０が設けられているプリンタよりも水平方向に関して小型化することが可能である。加えて、筐体１０内であって搬送機構２１と給紙ユニット３０との間や給紙ユニット３０の下方にインク貯留部６０を配置させるスペースを設けたプリンタよりも鉛直方向に関して小型化することが可能である。要するに、排紙部４０とインク貯留部６０とが水平方向に関して重なる部分の高さだけ本実施形態におけるプリンタ１の高さを別のプリンタよりも低くすることができる。
【００４１】
以上、本発明の好適な実施の形態について説明したが、本発明は上述の実施の形態に限られるものではなく、特許請求の範囲に記載した限りにおいて様々な変更が可能なものである。例えば、インク貯留部６０が水平面に鉛直方向から投影されてできた領域が、筐体１０が同様に投影されてできた領域からはみ出すように、インク貯留部６０が筐体１０と上下に部分的に重なっていてもよい。また、インク貯留部６０が鉛直面に水平方向から投影されてできた領域全体が、排紙部４０が同様に投影されてできた領域と重なっていてもよい。また、インク貯留部６０が、水平面内において排出方向Ｃと直交する方向に排紙部４０と重なっていてもよい。
【００４２】
また、インク貯留部６０の上端が開口１２よりも低い位置に配置されていてもよい。また、インク貯留部６０が、水平面内において排出方向Ｃと直交する方向に関して、その長さが用紙Ｐよりも短くてもよい。また、筐体５０の上面、側面５１，５２、下面以外の面に、インクカートリッジ６１を装着するための開口が形成されていてもよい。
【００４３】
また、上述した実施形態においては、排紙部（媒体保持部）４０が上面４１と側面４２の開口１２よりも下方部分とによって構成されているが、水平な上面からのみ排紙部が形成されていてもよいし、図２中右上がりに傾いた上面及び側面５１の一部（側面５１の開口１２と対向する位置から下方部分）から排紙部が構成されていてもよい。要するに、本発明において媒体保持部とは、開口１２から排出された後に積層された複数の用紙のうち、最も下にある用紙の下面と接触する部分と、積層された複数の用紙のうちで最も上にある用紙が開口１２と同じ高さに位置するときに、これら複数の用紙の前端又は後端と接触して用紙の自重により圧力が加えられる部分とを合わせた領域に相当する。
【図面の簡単な説明】
【００４４】
【図１】本発明の一実施形態によるインクジェットプリンタの斜視図である。
【図２】本発明の一実施形態によるインクジェットプリンタの部分断面図である。
【図３】図１に示す筐体、排紙部及びインク貯留部を水平面に鉛直方向から投影した投影図である。
【図４】図１に示す筐体、排紙部及びインク貯留部を鉛直面に用紙の搬送方向と同じ方向から投影した投影図である。
【符号の説明】
【００４５】
１  インクジェットプリンタ（インクジェット記録装置）
２  インクジェットヘッド
１０  筐体（第１筐体）
２１  搬送機構（搬送部）
３１  給紙トレイ（媒体収納部）
３５  手差しトレイ（給紙部）
４０  排紙部（媒体保持部）
５０  筐体（第２筐体）
６０  インク貯留部
６１  インクカートリッジ
７１  領域（第１領域）
７２  領域（第２領域）
７３  領域（第３領域）
７５  領域（第４領域）
７６  領域（第５領域）
８０  スキャナ（読取部）
【図１】
0004941334.tif 000002
【図２】
0004941334.tif 000003
【図３】
0004941334.tif 000004
【図４】
0004941334.tif 000005